(57)【要約】【課題】単純な構成でコストアップを抑制しつつ、ユーザが意図しないで本体が起動したときの移動体の移動を有効に禁止する。【解決手段】ポータブルテレビジョン装置（本体）１は、制御部１３、操作部キー部３１等を備えている。操作キー部３１は、移動制限設定を受け付ける。制御部１３は、本体の起動時に操作キー部３１を介して移動制限設定がされていないと判断した場合は移動体２０の第１の位置から第２の位置に移動させる。また制御部１３は、移動制限設定がされていると判断した場合は所定の入力がされるまで移動体２０の第１の位置から第２の位置への移動を行わない。【選択図】  図１
2008104032.tif 000002
【特許請求の範囲】
【請求項１】
本体に対して移動自在に取り付けられた移動体を、第1の位置と第2の位置との間で移動させる駆動部と、
前記駆動部に対して、前記移動体の移動を指示する駆動制御部と、を備え、
前記駆動制御部は、本体の起動停止時に前記駆動部に前記第1の位置への前記移動体の移動を指示する、携帯機器において、
本体の起動時に前記駆動部による前記移動体の移動を制限する移動制限設定を受け付け、この設定を保持する設定保持部と、
前記移動制限設定が保持されている場合に、本体の起動後に前記移動体を前記第２の位置に移動させるための操作案内を示す画像を表示する表示部と、
前記移動制限設定が保持されている場合に、本体の起動から所定時間が経過するまでの間に前記所定の入力がなければ、本体を停止する起動終了部と、を備え、
前記設定保持部は、前記移動制限設定の解除を本体の起動中にのみ受け付け、
前記駆動制御部は、本体の起動時に、
前記移動制限設定が保持されていない場合には前記駆動部に前記第2の位置への前記移動体の移動を指示し、前記移動制限設定がされている場合には本体の起動後に所定の入力があるときのみ、前記駆動部に前記第2の位置への前記移動体の移動を指示する、携帯機器。
【請求項２】
本体に対して移動自在に取り付けられた移動体を、第1の位置と第2の位置との間で移動させる駆動部と、
前記駆動部に対して、前記移動体の移動を指示する駆動制御部と、を備え、
前記駆動制御部は、本体の起動停止時に前記駆動部に前記第1の位置への前記移動体の移動を指示する、携帯機器において、
本体の起動時に前記駆動部による前記移動体の移動を制限する移動制限設定を受け付け、この設定を保持する設定保持部を備え、
前記設定保持部は、前記移動制限設定の解除を本体の起動中にのみ受け付け、
前記駆動制御部は、本体の起動時に、
前記移動制限設定が保持されていない場合には前記駆動部に前記第2の位置への前記移動体の移動を指示し、反対に、前記移動制限設定が保持されている場合には前記駆動部に前記移動体の第2の位置への移動を指示しない、携帯機器。
【請求項３】
前記駆動制御部は、前記移動制限設定が保持されている場合に、本体の起動後に所定の入力があるときのみ、前記駆動部に前記第2の位置への前記移動体の移動を指示する、請求項２に記載の携帯機器。
【請求項４】
前記移動制限設定が保持されている場合に、本体の起動後に前記移動体を前記第２の位置に移動させるための操作案内を示す画像を表示する表示部を備えている、請求項３に記載の携帯機器。
【請求項５】
前記移動制限設定が保持されている場合に、本体の起動から所定時間が経過するまでの間に前記所定の入力がなければ、本体を停止する起動終了部を備えた請求項３又は４に記載の携帯機器。
【発明の詳細な説明】
【技術分野】
【０００１】
本発明は、ユーザが持ち運び可能なポータブルテレビジョン装置や撮像装置等の携帯機器に関する。
【背景技術】
【０００２】
ユーザが持ち運び可能な携帯機器には、ワンセグメント放送を受信できるポータブルテレビジョン装置等がある。ポータブルテレビジョン装置は、映像を表示する表示部及びチャンネル変更要求等を受け付ける操作キーを備えた操作部等から構成されている。
【０００３】
操作部は、第１の位置と第２の位置との間でスライド移動自在な移動体に配置されている。第１の位置では、移動体は本体の裏面側に重なって一体的になり、操作キーが本体の裏面側に隠れる。第２の位置では、移動体は本体から延出した状態となり、隠れていた操作キーが外部に露出する。これにより、操作キーの操作が可能となる。
【０００４】
この移動体の移動は、手動によらず、駆動モータ等から構成される駆動部によって行われるタイプのものもある。駆動部は、電源スイッチをＯＦＦにした本体の起動停止の際には携帯性を考慮して移動体を第１の位置に移動させ、電源スイッチをＯＮにした本体の起動の際には第２の位置に移動させる。
【０００５】
ところが、ユーザが鞄や衣服のポケット等にポータブルテレビジョン装置を収納して持ち運ぶとき等に、電源スイッチが鞄等に収納されているその他の物に当接する等して本体が起動する場合があり、ユーザが気づかないうちに移動体が第２の位置に移動してしまうことがある。鞄やポケット等の狭い空間内で移動体が第２の位置に移動した状態となると、移動体がその他の物に当接する等した際に駆動部の一部が破損等する場合がある。
【０００６】
そのため、従来の携帯機器には、誤って本体が起動しないように電源スイッチの操作を無効にできるホールドキーを備えた構成のものがある。また、電源ＯＮ時に鏡筒が本体の筐体内部から所定量だけ繰り出されるカメラには、電源がＯＮされると撮影可能状態か否かの判定結果から鏡筒を繰り出すか否かを判断する構成のものがある（例えば、特許文献１参照。）。また、鏡筒の前方に障害物があるか否かを判定するセンサの判定結果に応じて鏡筒を繰り出すか否かを判断する構成のものがある（例えば、特許文献２，３参照。）。
【特許文献１】特開２００４−３７９２２号公報
【特許文献１】特開２００５−３３３５６号公報
【特許文献１】特開２００５−３１２２５号公報
【発明の開示】
【発明が解決しようとする課題】
【０００７】
しかしながら、ホールドキーを備えた携帯機器の構成では、ホールドキー自体が鞄等に収納されているその他の物に当接する等して解除されてしまう可能性があり、完全に電源スイッチの操作を無効にすることは困難である。また、特許文献１，２のカメラの構成では、判定に用いるセンサ、複雑な制御を追加しなければならず、コストアップしてしまう。
【０００８】
この発明の目的は、単純な構成でコストアップを抑制しつつ、ユーザが意図しないで本体が起動したときの移動体の移動を有効に禁止することができる携帯機器を提供することにある。
【課題を解決するための手段】
【０００９】
本発明の情報処理装置は、前記課題を解決するために以下の構成を備えている。
【００１０】
（１）本体に対して移動自在に取り付けられた移動体を、第1の位置と第2の位置との間で移動させる駆動部と、
前記駆動部に対して、前記移動体の移動を指示する駆動制御部と、を備え、
前記駆動制御部は、本体の起動停止時に前記駆動部に前記第1の位置への前記移動体の移動を指示する、携帯機器において、
本体の起動時に前記駆動部による前記移動体の移動を制限する移動制限設定を受け付け、この設定を保持する設定保持部と、
前記移動制限設定が保持されている場合に、本体の起動後に前記移動体を前記第２の位置に移動させるための操作案内を示す画像を表示する表示部と、
前記移動制限設定が保持されている場合に、本体の起動から所定時間が経過するまでの間に前記所定の入力がなければ、本体を停止する起動終了部と、を備え、
前記設定保持部は、前記移動制限設定の解除を本体の起動中にのみ受け付け、
前記駆動制御部は、本体の起動時に、
前記移動制限設定が保持されていない場合には前記駆動部に前記第2の位置への前記移動体の移動を指示し、前記移動制限設定がされている場合には本体の起動後に所定の入力があるときのみ、前記駆動部に前記第2の位置への前記移動体の移動を指示する。
【００１１】
この構成においては、本体の起動時に移動体が第２の位置に移動するが、移動制限設定が保持されている場合は本体の起動後にキー入力等の所定の入力がされると移動体が第２の位置に移動する。移動制限設定の解除は、本体の起動中にのみ受け付けられるので、従来のホールドキーのように本体が起動していない場合に解除されることがない。また、移動体を移動させるか否かを判定するためのセンサ等も必要ない、単純な構成でコストアップを抑制しつつ本体起動時の移動体の移動を有効に禁止できる。また、ユーザが本体を意図して起動させた際には適切に本体を使用することができる。
【００１２】
さらに、移動制限設定が保持されている状態で本体が起動した際、表示部に操作案内表示を行い、ユーザに移動体を移動させる操作手順を案内している。これによって、ユーザが操作手順を忘れる等しても移動体を移動させて本体を確実に使用できる。また、移動体が移動しないことをユーザが故障等と勘違いすることを防止できる。
【００１３】
しかも、移動制限設定が保持されている状態で本体が起動した際に所定時間内に所定の入力がされない場合は、ユーザが意図せずに本体が起動したものと判断して本体の起動が停止する。これによって、本体が起動し続けることを防止して無駄な電力の消費を防止することができる。
【００１４】
（２）本体に対して移動自在に取り付けられた移動体を、第1の位置と第2の位置との間で移動させる駆動部と、
前記駆動部に対して、前記移動体の移動を指示する駆動制御部と、を備え、
前記駆動制御部は、本体の起動停止時に前記駆動部に前記第1の位置への前記移動体の移動を指示する、携帯機器において、
本体の起動時に前記駆動部による前記移動体の移動を制限する移動制限設定を受け付け、この設定を保持する設定保持部を備え、
前記設定保持部は、前記移動制限設定の解除を本体の起動中にのみ受け付け、
前記駆動制御部は、本体の起動時に、
前記移動制限設定が保持されていない場合には前記駆動部に前記第2の位置への前記移動体の移動を指示し、反対に、前記移動制限設定が保持されている場合には前記駆動部に前記移動体の第2の位置への移動を指示しない。
【００１５】
この構成においては、本体の起動時に移動体が第２の位置に移動するが、移動制限設定が保持されている場合は本体が起動しても移動体は第２の位置に移動しない。移動制限設定の解除は、本体の起動中にのみ受け付けられるので、従来のホールドキーのように本体が起動していない場合に解除されることがない。また、移動体を移動させるか否かを判定するためのセンサ等も必要なく、単純な構成でコストアップを抑制しつつ本体起動時の移動体の移動を有効に禁止することができる。
【００１６】
（３）前記駆動制御部は、前記移動制限設定が保持されている場合に、本体の起動後に所定の入力があるときのみ、前記駆動部に前記第2の位置への前記移動体の移動を指示する。
【００１７】
この構成においては、移動制限設定が保持されている場合であっても、本体の起動後にキー入力等の所定の入力がされると移動体が第２の位置に移動する。したがって、ユーザが本体を意図して起動させた際には適切に本体を使用することができる。
【００１８】
（４）前記移動制限設定が保持されている場合に、本体の起動後に前記移動体を前記第２の位置に移動させるための操作案内を示す画像を表示する表示部を備えている。
【００１９】
この構成においては、移動制限設定が保持されている状態で本体が起動した際、表示部に操作案内表示を行い、ユーザに移動体を移動させる操作手順を案内している。これによって、ユーザが操作手順を忘れる等しても移動体を移動させて本体を確実に使用できる。また、移動体が移動しないことをユーザが故障等と勘違いすることを防止することができる。
【００２０】
（５）前記移動制限設定が保持されている場合に、本体の起動から所定時間が経過するまでの間に前記所定の入力がなければ、本体を停止する起動終了部を備えている。
【００２１】
この構成においては、移動制限設定が保持されている状態で本体が起動した際に所定時間内に所定の入力がされない場合は、ユーザが意図せずに本体が起動されたものと判断して本体の起動が停止する。これによって、本体が起動し続けることを防止して無駄な電力の消費を防止することができる。
【発明の効果】
【００２２】
この発明によれば、単純な構成でコストアップを抑制しつつ本体起動時の移動体の移動を有効に禁止することができる。
【発明を実施するための最良の形態】
【００２３】
以下、本発明の実施形態に係るポータブルテレビジョン装置について説明する。
【００２４】
図１（Ａ），（Ｂ）は、本発明の実施形態に係るポータブルテレビジョン装置の外観斜視図である。図１（Ａ）は移動体がポータブルテレビジョン装置に収納された状態を示し、図１（Ｂ）は移動体がポータブルテレビジョン装置から引き出された状態を示す。図２は、本発明の実施形態に係るポータブルテレビジョン装置の概略構成を示すブロック図である。
【００２５】
ポータブルテレビジョン装置１は、筐体１０および移動体２０等から構成され、ワンセグメント放送のテレビ番組を受信、表示する。ポータブルテレビジョン装置１は、筐体１０の内部にチューナ１１、ディジタル信号処理部１２、制御部１３および記憶部５０等を備え、筐体１０の外部に表示部１４、スピーカ１５、アンテナ１６および電源スイッチ３２等を備えている。また、ポータブルテレビジョン装置１は、移動体２０の外部に操作キー部３１を備えている。
【００２６】
チューナ１１は、ワンセグメント放送信号のうち選局を受け付けたチャンネルの放送信号をアンテナ１６を介して受信し、出力する。ディジタル信号処理部１２は、チューナ１１が出力した放送信号に基づくディジタルデータを処理し、表示部１４に映像信号を出力し、スピーカ１５に音声信号を出力する。制御部１３は、ポータブルテレビジョン装置１全体の動作を制御する。記憶部５０は、各種設定データ等を記憶する。表示部１４は、本実施形態では液晶表示装置を用いている。
【００２７】
操作キー部３１は、チャンネルの選曲、音量の変更等の入力を受け付ける。また、操作キー部３１は、メニュー画面を表示部１４に表示させ、メニュー画面に表示された色彩調整等の各種設定を選択して設定変更等を受け付ける。電源スイッチ３２は、押下によりポータブルテレビジョン装置１の電源のON／OFF入力を受け付ける。また、電源スイッチ３２は、筐体１０から突出しないように凹部内に配置されている。操作キー部３１および電源スイッチ３２は、操作部３０を構成する。
【００２８】
移動体２０は、電源がOFFでポータブルテレビジョン装置１が起動していないときは、図１（A）に示すように第１の位置に移動した状態となる。したがって、操作キー部３１が筐体１０に隠れた状態となる。これによって、サイズがコンパクトとなってポータブルテレビジョン装置１の持ち運びがし易くなり、携帯性が向上する。また、移動体２０は、電源がONでポータブルテレビジョン装置１が起動しているときは、図１（B）に示すように第２の位置に移動した状態となる。これにより、操作キー部３１が筐体１０から露出するので、テレビ番組を視聴する際にユーザがチャンネル選曲等を行うことができる。
【００２９】
なお、図１（B）に示す状態がポータブルテレビジョン装置１の使用可能状態を示す。また、ポータブルテレビジョン装置１の起動は、電源スイッチ３２が押下されて電源がＯＮされた状態を示す。
【００３０】
本実施形態では、ポータブルテレビジョン装置１が使用可能状態の間は移動体２０が第２の位置にあるが、操作キー部３１等を操作することで使用可能状態の間でも第１の位置に移動させることができるようにしてもよい。
【００３１】
図３は、図１（Ａ）に示すＸ−Ｘ′断面を示す断面図である。移動体２０は、断面が鍵形状のスライド部材２１を有している。スライド部材２１は、筐体１０に形成されたガイド溝１７に嵌合している。ガイド溝１７は、移動体２０の移動方向に沿って溝が形成され、スライド部材２１を擦動自在に支持する。
【００３２】
また、筐体１０および移動体２０には、ラックギヤ４１およびピニオンギヤ４２が配置されている。ラックギヤ４１は、移動体２０の移動方向に沿ってに形成されている。ピニオンギヤ４２は、ラックギヤ４１に噛合し、移動体２０内部に設けられた駆動モータ４３（図２参照）によって回転する。
【００３３】
ピニオンギヤ４２の回転によって移動体２０が第１の位置と第２の位置との間を移動する。駆動モータ４３は、ドライバ４４を介して制御部１３によって動作が制御される。ラックギヤ４１、ピニオンギヤ４２、駆動モータ４３およびドライバ４４は、駆動部４０を構成する。また、制御部１３は、本発明の駆動制御部に相当する。
【００３４】
図４は、本発明の実施形態に係るポータブルテレビジョン装置の起動時の移動体の移動手順を示す流れ図である。制御部１３は、ユーザによって電源スイッチ３２がONされた後、記憶部５０から移動制限設定の値を読み出す（S１）。移動制限設定は、ポータブルテレビジョン装置１の起動の際に移動体２０の移動を制限するための設定である。この設定は、操作キー部３１を操作してメニュー画面に表示された項目を選択することで設定できる。したがって、操作キー部３１および記憶部５０は、本発明の設定保持部に相当する。
【００３５】
次に、制御部１３は、移動制限設定の値から移動制限設定がされているか否かを判断する（S２）。例えば、移動制限設定の値が１であれば設定されていると判断し、１以外の値であれば設定されていないと判断する。S２の処理で設定されていないと判断した場合、制御部３１３は、移動体２０を第２の位置に移動させ（S３）、全体の処理を終了する。これにより、ポータブルテレビジョン装置１が使用可能状態となる。
【００３６】
一方、S２の処理で設定されていると判断した場合、制御部１３は、タイマ計測を開始する（S４）。その後、制御部１３は、移動体２０を第２の位置に移動させるための操作案内を示す画像を表示部１４に表示する（S５）。本実施形態では、「電源スイッチを３秒間以上長押ししてください」と表示する。これによって、ユーザが操作手順を忘れる等しても移動体２０を移動させてポータブルテレジョン装置１を確実に使用することができる。また、移動体２０が移動しないことをユーザが故障等と勘違いすることを防止できる。
【００３７】
次に、タイマが所定時間を経過するまで移動体２０を第２の位置に移動させる所定の操作（入力）がされたか否かを判断する（S６，S７）。S６の処理でタイマが所定時間を経過するまでに所定の入力がされたと判断した場合、制御部１３は、ユーザが意図してポータブルテレビジョン装置１を起動したものと判断し、S３の処理に移行して移動体２０を移動させる。
【００３８】
一方、S７の処理でタイマが所定時間を経過するまでに所定の入力がされなかったと判断した場合、制御部１３は、ユーザが意図してポータブルテレビジョン装置１を起動させていないと判断し、移動体２０を第１の位置に固定したまま電源をOFFする（S８）。したがって、制御部１３は、本発明の起動終了部にも相当する。
【００３９】
これにより、本体であるポータブルテレビジョン装置１が起動し続けることを防止して無駄な電力の消費を防止することができる。所定時間は、任意に設定可能である。本実施形態では、S６，S７の処理の期間中は、使用可能状態ではなくテレビ番組の映像は表示されない。
【００４０】
なお、移動制限設定のOFF（解除）は、本体の起動中にのみ操作キー部３１を介して受け付けられるので、従来のホールドキーのように、本体が起動していない場合に解除されることがない。また、制御部１３は、使用可能状態で電源スイッチが押下されて電源がOFFされる際、移動体２０を第２の位置から第１の位置に移動させた後に電源がOFFされる。
【００４１】
以上のように、移動制限設定が保持されている場合に所定の入力がない限り、本体の起動時の移動体２０の移動を制限しているので、移動体２０を移動させるか否かを判定するためのセンサ等も必要ないので、単純な構成でコストアップを抑制しつつ本体起動時の移動体２０の移動を有効に禁止できる。また、ユーザが本体を意図して起動させた際には適切に本体を使用することができる。
【００４２】
なお、本実施形態では、ポータブルテレビジョン装置１を用いて説明しているが、本体の起動時に移動を開始する移動体を有する撮像装置等の携帯機器にも本発明を適用することができる。
【図面の簡単な説明】
【００４３】
【図１】本発明の実施形態に係るポータブルテレビジョン装置の外観斜視図である。
【図２】同ポータブルテレビジョン装置の概略構成を示すブロック図である。
【図３】図１（Ａ）に示すＸ−Ｘ′断面を示す断面図である。
【図４】本発明の実施形態に係るポータブルテレビジョン装置の起動時の移動体の移動手順を示す流れ図である。
【符号の説明】
【００４４】
１−ポータブルテレビジョン装置
１０−筐体
１３−制御部
１４−表示部
２０−移動体
３０−操作部
３１−操作キー部
３２−電源スイッチ
４０−駆動部
４１−ラックギヤ
４２−ピニオンギヤ
４３−駆動モータ
【図１】
2008104032.tif 000003
【図２】
2008104032.tif 000004
【図３】
2008104032.tif 000005
【図４】
2008104032.tif 000006